(57)【特許請求の範囲】
【請求項１】
測定対象である眼鏡レンズが載置されるノーズピースを筐体の前方に備えていると共に、略鉛直な案内面を前面に有するレンズテーブルを該筐体から該ノーズピースに向かって前後方向に水平に移動可能に備えており、該眼鏡レンズが装着された眼鏡の上縁部または下縁部を該レンズテーブルの該案内面に当接させて位置決めした状態下で、該眼鏡レンズを該ノーズピースの上に載置して、該ノーズピースを通じて測定用光束を該眼鏡レンズに透過させることにより該眼鏡レンズのレンズ度数等を測定するようにしたレンズメータにおいて、
該眼鏡レンズに処方されたプリズム量を入力する入力手段と、該眼鏡レンズのアライメント状態を検出するアライメント検出手段と、前記レンズテーブルを前後方向に水平に移動させ、該レンズテーブルを保持され得る保持機構と、前記保持機構は該眼鏡レンズの前記アライメント検出手段により得られた検出結果に基づいて作動する自動制御装置を備え、プリズム処方されていない該眼鏡レンズは該眼鏡レンズの光学中心が該レンズメータの測定光軸に合ったことが、プリズム処方されている該眼鏡レンズは前記入力手段により該入力された該プリズム量に該眼鏡レンズが合ったことが前記アライメント検出手段により検出された場合に、前記自動制御装置により前記保持機構を作動させ該レンズテーブルを固定することを特徴とするレンズメータ。
【請求項２】
前記レンズテーブルを保持せしめる保持方法は該レンズテーブルを前後方向に水平に移動するための駆動軸に荷重を与えてその摩擦力を用いて保持可能とした保持機構を備えたことを特徴とする請求項１に記載のレンズメータ。
【請求項３】
該眼鏡レンズを軸合わせする場合は、眼鏡レンズの上縁部または下縁部を前記レンズテーブルの案内面に当接させた状態で前記眼鏡レンズと前記レンズテーブルを直接手で保持した状態で前後方向に水平に移動可能になるように駆動軸に適度なトルクを与えたことを特徴とする請求項１及び２のいずれかに記載のレンズメータ。
【請求項４】
前記レンズテーブルに対し該レンズテーブルが前方方向（検者側）に付勢力を与える機構を有し、該付勢力により前記レンズテーブルが前方方向（検者側）に移動し得る程度に前記付勢力を駆動軸に生じる摩擦力に比べて大きくしたことを特徴とする請求項１及び２のいずれかに記載のレンズメータ。
【請求項５】
前記付勢力は、レンズ保持機構の保持力より弱いことを特徴とする請求項４に記載のレンズメータ。
【請求項６】
前記付勢力は請求項１に記載のレンズテーブル保持機構におけるレンズテーブル保持力より弱いことを特徴とする請求項５に記載のレンズメータ。
【発明の詳細な説明】
【技術分野】
【０００１】  本発明は、眼鏡に枠入れされた眼鏡レンズのレンズ度数を測定することができるレンズメータに関するものである。
【背景技術】
【０００２】  従来からマニュアルのレンズメータは多く利用されている。これらマニュアルレンズメータの多くは眼鏡レンズ測定時においては測定光軸を水平方向かあるいは前方をやや高めにした略水平方向に調節できる構造になっている。この状態では、眼鏡レンズの上縁部あるいは下縁部を当接させるレンズテーブルのその当接面は水平方向かあるいは前方をやや高めにした略水平位置に配置されるようにており、検者が眼鏡レンズを測定する場合はレンズテーブルの上に眼鏡レンズを載せるようになっている。眼鏡レンズを載せるレンズテーブルは略鉛直方向に上下させ得る機構を備えており、検者は眼鏡レンズを測定する際、眼鏡レンズをレンズテーブルに載せた状態で、レンズテーブルを上下させて光軸合わせを行うことになる。【０００３】  ところが、近年においては眼鏡レンズの度数を自動的に測定するオートレンズメータが各社より発売されるようになってきた。これらのオートレンズメータは従来使われていたマニュアルレンズメータにおける接眼部の代わりに、液晶表示器に代表される表示部を持ち、この表示部には測定した眼鏡レンズの度数や軸合わせを行うアライメント表示が表示される。そのため、検者はこの画面を見て、眼鏡レンズの測定を行うということになり、自然と表示部が上方に配置されることから、これらのオートレンズメータの多くは測定光軸が鉛直方向となり、そのためレンズテーブルはその当接面が鉛直方向になるように配置される。【０００４】  このように配置されたオートレンズメータにおいては、眼鏡レンズを測定する場合、レンズ受け（ノーズピース）の上に眼鏡レンズを載せて、眼鏡レンズの上縁部あるいは下縁部を略鉛直方向に配置されたレンズテーブルの当接面に押し当てた状態でレンズテーブルを前後に移動するためのレバーを操作することにより軸合わせを行い、度数などの測定値を得ることになる。つまり、眼鏡レンズを測定する際においてはレンンズテーブルを眼鏡レンズで押すように操作するため、レンズテーブルの位置が後方向（本体側）に移動しやすいという問題があった。この問題は、特にプリズムが処方された眼鏡レンズの測定においては重要な問題となり得る。上下方向にプリズム処方がなされた眼鏡レンズにおいて、そのプリズム量を正確に測定する場合はレンズテーブルが一定の位置で保持できるようになっている必要があるという理由によるためである。【０００５】  そこで、従来のレンズメータにおけるレンズテーブルの移動においては相当量のトルクを加え、わずかな力ではレンズテーブルが移動しないような工夫が施されていた。しかし、この方法は従来のマニュアルレンズメータにおいては眼鏡レンズをレンズテーブルに置くという構造から、測定時には眼鏡レンズがレンズテーブル上である程度安定しており特に眼鏡レンズの保持に注意を払う必要がなかったため、レンズテーブルの上下移動に相当量のトルクを与えても操作上問題ななかった。しかし、近年発売されてきたオートレンズメータは前述のように眼鏡レンズをレンズテーブルに押し当てて測定することとなるため、測定時は眼鏡レンズを保持しつつ、レンズテーブルレバーを操作することになる。マニュアルレンズメータと同様にレンズテーブルの移動に相当���のトルクが与えられている場合、片手で眼鏡レンズを保持し、さらにもう一方の手でレバー操作を行うことになり、測定が非常に困難な面があった。【０００６】  このような問題の対策のため特許文献１及び特許文献２が提案されている。特許文献１では当て板（レンズテーブル）の前後方向の移動機構にベアリングを用いることにより移動時のトルクを最小限に抑え、わずかな力でも移動可能にし、さらに操作性をよくするために、当て板（レンズテーブル）の移動軸にピアノ線などのバネを取付けて、前方方向に付勢するようになっている。つまり、眼鏡レンズを測定する際、検者は眼鏡レンズの上縁部あるいは下縁部を当て板（レンズテーブル）に押し当てるときに加えるわずかな力で当て板（レンズテーブル）の移動が可能になり、従来、レンズテーブルの移動操作時に行っていたレバー操作をなくしたことにより、操作性の向上を提案したものである。【０００７】  また、特許文献２においても同様な提案がなされている。メガネ当接板（レンズテーブル）を検者側に向けて弾性的に付勢する付勢部材を備えたもので、適度の押圧抵抗感を検者に与えるメガネ当接板（レンズテーブル）に眼鏡レンズを当接させながら、眼鏡レンズを位置決めできるとされている。つまり、従来のようなレバー操作を行うことを必要としないレンズメータの提案であり、その効果は特許文献１のものと同様である。【０００８】  しかし、上記特許文献１及び特許文献２に示されたレンズテーブルに前方（検者側）方向の付勢機構が備えられたレンズメータは眼鏡レンズの位置決め時には上述のように操作性が向上され得るが、光軸合わせをした状態で印点を行う場合にも眼鏡レンズを保持する必要がある。この問題に対して特許文献２ではレンズテーブルに付勢する付勢力は、印点時に眼鏡レンズを保持するレンズ保持手段の保持力より弱くすることで対応している。ところが、オートレンズメータの多くは測定データを印刷する印刷機能を備えている場合が多く、そのためには測定データを記憶する必要があり、多くは押ボタンスイッチなどを設けて、光軸合わせをした状態でこのスイッチを押すという操作を行う。つまり、眼鏡レンズを保持しつつスイッチ操作をしなくてはならず、少しでも眼鏡レンズを保持する力が変化するとレンズテーブルに付勢される付勢力により眼鏡レンズが移動してしまい、不都合である。スイッチ操作を行う場合もレンズ保持手段により眼鏡レンズを保持すればいいという考えもあるが、そもそもレンズ保持手段はレンズに印点を行う場合に使用するものであり、また、その保持力は相当量の力であることから、レンズ保持手段を利用しての測定は、眼鏡レンズ表面の材質部分やその表面の反射防止コーティングなどにキズをつけてしまう恐れがあり、あまり好ましくない。それに加え、測定毎にレンズ保持手段を使用するのは、操作上非常に煩雑であり、これも好ましいとは言えない。【０００９】  また、これら特許文献１及び特許文献２の構造を持つレンズテーブルを備えたレンズメータは、上述のようにレンズテーブルの操作性は向上しているもののレンズテーブルの位置を保持する機能を有しないため、例えばプリズムが処方された眼鏡レンズを測定する場合、左右のプリズム量の比較が��難な面が生じる。つまり、左右のプリズム量の比較を正確に行う場合は、片眼を測定終了時にその状態でレンズテーブルの位置を保持し、保持した状態でもう一方のレンズをレンズテーブルに押し当てて測定する必要があるという理由による。【００１０】
【特許文献１】実公平７−４７７１８号公報
【特許文献２】特開２００３−８３８４４号公報
【発明の開示】
【発明が解決しようとする課題】
【００１１】
ここにおいて、本発明は上述の如き事情を背景として為されたものであって、その解決課題とするところは、
（ｉ）眼鏡レンズを測定する際、レンズテーブルを前後方向に水平に移動せしめる場合において、レバー操作を不要にすると共に、
（ｉｉ）レンズテーブルを前後方向に水平に移動させ、アライメント検出信号により自動的にレンズテーブルを保持され得る保持機構を備えた、
新規な構造のレンズメータを提供することにある。
【課題を解決するための手段】
【００１２】  以下にこのような課題を解決するために為された本発明の態様を記載する。なお、以下に記載の各態様において採用される構成要素は、可能な限り任意の組み合わせで採用可能である。また、本発明の態様及至は技術的特徴は、以下に記載のものに限定されることなく、明細書全体および図面に記載されたもの、或いはそれらの記載から当業者が把握することが出来る発明思想に基づいて認識されるものであることが理解されるべきである。【００１３】
（本発明の態様１）
本発明の態様１は、測定対象である眼鏡レンズが載置されるノーズピースを筐体の前方に備えていると共に、略鉛直な案内面を前面に有するレンズテーブルを該筐体から該ノーズピースに向かって前後方向に水平に移動可能に備えており、該眼鏡レンズが装着された眼鏡の上縁部または下縁部を該レンズテーブルの該案内面に当接させて位置決めした状態下で、該眼鏡レンズを該ノーズピースの上に載置して、該ノーズピースを通じて測定用光束を該眼鏡レンズに透過させることにより該眼鏡レンズのレンズ度数等を測定するようにしたレンズメータにおいて、
前記レンズテーブルを前後方向に水平に移動する際には該レンズテーブルを直接手を添えて移動可能となるように、前記レンズテーブルの駆動軸に適度なトルクを与え、さらに眼鏡レンズの測定時のアライメント状態を検出する手段を備え、該アライメント状態検出結果により自動的に前記レンズテーブルの該駆動軸に相当量の荷重を与えてその摩擦力で保持可能な保持機構を備えたレンズメータを、特徴とする。
【００１４】
このような本態様に従う構造とされたレンズメータにおいては、眼鏡レンズを測定する場合、眼鏡レンズの上縁部または下縁部を前記レンズテーブルの案内面に当接させた状態で前記眼鏡レンズと前記レンズテーブルを同時に直接手で保持しながら前後方向に水平に移動可能であるから、従来備えていたレンズテーブルの移動用操作レバーが必要ない。つまり、操作レバーを操作することなしに該ンズテーブルの移動が眼鏡レンズの上縁部または下縁部を前記レンズテーブルの案内面に当接させたまま出来るのである。そのため、光軸合わせなどの操作において、操作性が向上され得るのである。
【００１５】  また、光軸合わせなど、アライメントが終了した場合はアライメント状態検出手段によるアライメント状態検出結果により、レンズテーブルが自動的に保持されるため、その状態で測定値の記憶などのために押しボタンスイッチなどを押すことも容易となるのである。また、本態様１には眼鏡レンズに処方されたプリズム量を入力する入力手段を有するため、該入力手段により入力されたプリズム量に従った光軸など任意の位置で保持できることから、プリズムが処方された眼鏡レンズを測定する場合、左右のプリズム量の比較が容易となるのである。【００１６】
（本発明の態様２）
本発明の態様２は、測定対象である眼鏡レンズが載置されるノーズピースを筐体の前方に備えていると共に、略鉛直な案内面を前面に有するレンズテーブルを該筐体から該ノーズピースに向かって前後方向に水平に移動可能に備えており、該眼鏡レンズが装着された眼鏡の上縁部または下縁部を該レンズテーブルの該案内面に当接させて位置決めした状態下で、該眼鏡レンズを該ノーズピースの上に載置して、該ノーズピースを通じて測定用光束を該眼鏡レンズに透過させることにより該眼鏡レンズのレンズ度数等を測定するようにしたレンズメータにおいて、
前記レンズテーブルを前後方向に水平に移動する際には該レンズテーブルに対し前方方向（検者側）に前記レンズテーブルの駆動軸にかかる摩擦力に比べて大きな付勢力を与える機構を設け、さらに該レンズテーブルを保持する際には該駆動軸に前記付勢力を超えた相当量の荷重を与えてその摩擦力で保持可能な保持機構を備えたレンズメータを、特徴とする。
【００１７】
このような本態様に従う構造とされたレンズメータにおいては、眼鏡レンズを測定する場合、眼鏡レンズの上縁部または下縁部を前記レンズテーブルの案内面に当接させた状態で前記眼鏡レンズのみ（つまり、レンズテーブルまで保持する必要がない。）
を直接手で保持しながら前後方向に水平に移動可能であるから、従来備えていたレンズテーブルの移動用操作レバーが必要ない。つまり、操作レバーを操作することなしに該レンズテーブルの移動が眼鏡レンズの上縁部または下縁部を前記レンズテーブルの案内面に当接させたまま出来るのである。そのため、光軸合わせなどの操作において、前述した態様１より操作性が向上され得るのである。
【００１８】  また、光軸合わせなど、アライメントが終了した場合はアライメント状態検出手段により得られた検出結果により自動的に該レンズテーブルが保持機構により保持されるため、その状態で測定値の記憶などのために押しボタンスイッチなどを押すことも容易となるのである。
【発明を実施するための最良の形態】
【００１９】  以下、本発明を更に具体的に明らかにするために、本発明の実施形態について、図面を参照しつつ、詳細に説明する。【００２０】  先ず、図１には、本発明の一実施形態であるレンズメータ１０の全体概略が示されている。このレンズメータ１０は、略堅形ボックス状の筐体１２を備えている。この筐体１２の前面側は、下部に比して上部が前方に突き出しており、庇状に突き出したこの上部１４によって下部前面には全体的に大きく凹んだ測定用スペース１６が形成されている。また、突出せしめられた上部１４の突出前面には、測定状態や測定結果を表示する液晶表示画面１８が設けられている。【００２１】  また、上述の測定用スペース１６には、幅方向中央部分において上下方向に離隔して対向位置する光路用凸部２２、２４が前方に突出形成されている。そして、下側の光路用突部２４の突出上面には、略円筒形状で上方に向かって突出するノーズピース２６が突設されていると共に、光路用凸部２４の前面中央部には測定値を保存及び記憶するためのスイッチ２０が配設されている。本実施形態では、筐体１２の内部に収容された発光源から導かれた測定光束が、上側の光路用凸部２２内から鉛直下方に向かって投射されて、測定用スペース１６を通って、ノーズピース２６の先端面に開口する入射窓から筐体１２内に入射され、筐体１２内に収容配置された受光素子によってかかる測定用光束が受光されるようになっている。即ち、ノーズピース２６上に測定用光束によるレンズ度数等の測定ポイントが形成されているのである。【００２２】  更にまた、上側の光路用凸部２２には、ノーズピース２６に向かって下方に突出するレンズ押え２８が鉛直上下方向に移動可能に装着されており、印点レバー３０の回転及び上下操作に基づいて、かかる印点レバー３０を含む印点部が上下方向に駆動可能とされている。また、レンズ押え２８には、下方に向かって突出する複数本（本実施形態では３本）のレンズ押えピン３２が固定されている。そして、レンズ押え２８を下方に変位させることにより、複数本の押えピン３２が下方に向かって一体的に降下変位せしめられるようになっている。【００２３】  これにより、本実施形態では、ノーズピース２６上に眼鏡レンズを載置せしめて、そのレンズ度数等の光学特性の測定点をノーズピース２６上に位置決めした状態下で、レンズ押え２８を下方に変位せしめることにより、ノーズピース２６上に載置された被検レンズを複数本のレンズ押えピン３２でノーズピース２６上に押し付けて位置固定に保持せしめ得るようにされている。【００２４】  さらに、筐体１２において測定用スペース１６を形成する下部前面には、レンズテーブル３４が配設されている。このレンズテーブル３４は、筐体１２において水平となる幅方向の略全長に亘って延びる長手ブロック状を有しており、前面が略鉛直で平坦な案内面３６とされている。そして、かかるレンズテーブル３４は、ノーズピース２６よりも奥方（筐体１２側）に位置せしめられており、測定用光束の後方に控え位置せしめられている。また、かかる状態下で、印点レバー３０を含む印点部を下方に駆動変位させることにより、図示しない内蔵の印点手段によって被検レンズの所定位置に印点を記すことが出来るようになっている。【００２５】  また、図２に示されているように、レンズテーブル３４には、その背後から奥方に突出して筐体１２内に延びるロッド３８が複数本設けられている。これによりレンズテーブル３４は筐体１２の収容凹部４２からノーズピース２６の後位置まで前後方向に水平に移動可能となっている。ロッド３８は本実施例では丸棒型であり円柱側面は磨き処理がなされ、図１に示す軸受け穴部３９に通してある。さらに、レンズテーブル３４の前後方向の移動がレンズテーブルの両端を両手で押さえながら移動可能であり、適度なトルクを与えるためにロッド３８と軸受け穴部３９の間にはグリスなどの潤滑剤が塗布されている。つまり、被検レンズを保持しながらレンズテーブル３４を直接移動可能となっているのである。【００２６】  さらに、図３、図４に示すようにロッド３８と軸受け穴部３９の横には、ソレノイド６０及びレンズテーブル保持ロッド６１からなる、レンズテーブル保持機構部が取り付けてある。レンズテーブル保持ロッド６１の先端部には樹脂あるいはゴムなどの材質の当て部材６２が接着またはネジ止めなどで取り付けてある。図３、図４に示すようにレンズテーブル保持ロッド６１はロッド３８と同一平面状でありしかも互いに垂直となるように取り付けてある。また、レンズテーブル保持ロッド６１はソレノイド６０のプランジャー６３の先端にプランジャー６３と同軸になるように取り付けてある。つまり、ソレノイド６０が動作するとプランジャー６３は左右方向に動作し、図３、図４に示すように、プランジャー６３が（本体後方より）右方向に動作した場合（図４）、レンズテーブル保持ロッド６１がロッド３８の方向に移動し、レンズテーブル保持ロッドの先端部にある当て部材６２がロッド３８に接触し、その摩擦力により、レンズテーブル３４の前後方向の位置を保持するようになっている。本実施例では当て部材６２には樹脂剤またはゴム剤を用いたが、ロッド３８に接触されたときにロッド３８にキズなどが付かない配慮がなされていれば、当て部材６２はなくてもよい。【００２７】  図５は本特許の態様２の機構を説明したものである。ロッド３８の一方のロッドにレンズテーブル３４に前方方向（検者側）の付勢力を与えるためのスプリング７０が付加されている。スプリング７０の一端は本体筐体１２の内面に保持され、他方の端は新たに加えたスプリング保持板７１に保持されている。スプリング７０は引っ張りバネとして作用し、レンズテーブル３４に対し常に前方方向（検者側）に付勢力が加わっている。但し、該付勢力はレンズテーブル保持機構における保持力やレンズ押え２８によるレンズ保持力を超えない程度に調整してある。つまり、レンズテーブル保持機構による保持力やまたはレンズ押え２８による保持力によりレンズテーブルが任意の位置に保持可能としているのである。【００２８】  本形態ではレンズテーブルに与える付勢力のためにスプリングを用いたが、当然付勢力を与える手段はスプリングに限る必要はなく、特許文献１の実施例に示されたピアノ線でも可能であるし、特許文献２の実施例で示された付勢機構のようなものでも構わないことは言うまでもない。【００２９】  図６は実際の使用状態を示��た図である。眼鏡６６の片側レンズ（図６では右眼用レンズ）をノーズピース２６の載せ、さらに眼鏡６６の左右の両下縁部がレンズテーブル３４の案内面３６に接するようにレンズテーブル３４を移動し、その状態で（つまり、眼鏡６６の左右の両下縁部がレンズテーブル３４に接触させた状態で）光軸の中心合わせなどを行い、眼鏡６６の被検レンズの度数を測定する。このとき、液晶表示画面１８には図７、図８に示すようなアライメント状態が表示され、検者はかかるアライメント状態表示画面を見てアライメントを行う。通常は測定光軸に測定する眼鏡レンズの光学中心を合わせる（図８では、ターゲット８０がターゲット画面８１の中心８２に合わせることになる）。光学中心に合わせると、本体内部の演算部９０からソレノイド制御回路９１に信号を出力し、ソレノイド６０のプランジャー６３が（本体後方から見て）右方向に動作し、レンズテーブル３４を保持するのである。【００３０】  上述は測定する眼鏡６６がプリズム処方されていない場合の操作例である。測定する眼鏡６６がプリズム処方されている場合は、予め、その処方値（プリズム値）を入力し、演算部９０により得られたプリズム値が、予め入力された処方値（プリズム値）に合った場合は上述の例のように演算部９０からソレノイド制御回路９１に信号を出力し、図４のようにソレノイド６０のプランジャー６３が（本体後方から見て）右方向に動作し、レンズテーブル３４を保持する。【００３１】  以上、本発明の実施形態について詳述してきたが、これらはあくまでも例示であって、本発明はかかる実施形態における具体的な記載によって、何等、限定的に解釈されるものでなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることが、理解されるべきである。【００３２】  例えば、本実施例ではソレノイド６０を利用してレンズテーブル保持ロッド６１をロッド３８の方向に移動し、当て部材６２を接触させてレンズテーブル３４の保持を行っているが、移動手段はソレノイドに限るわけではなく、ステッピングモーターを利用した移動手段でも構わない。さらに言えば、本実施例では演算部からのアライメント信号でソレノイドを制御しているが、図９に示すようにレンズテーブル３４の側面にスイッチ９２を取り付けて、かかるスイッチ９２のＯＮ／ＯＦＦによりソレノイド６０を制御しても構わない。その場合は、検者はレンズテーブル３４を任意の位置で、保持することが可能である。図１０に本実施形態としての概略構成を示す。
【図面の簡単な説明】
【００３３】
【図１】本発明の一実施形態としてのレンズメータの全体概略構造を示す斜視図である。
【図２】図１における左側面図である。
【図３】レンズテーブル保持機構の概略を示すための本体内部の部分図である。（保持されていない状態）
【図４】レンズテーブル保持機構の概略を示すための本体内部の部分図である。（保持されている状態）
【図５】レンズテーブルに前方方向（検者側）に付勢力を与える付勢機構の概略を示した図である。
【図６】図１で示されたレンズメータにおいて実際に眼鏡レンズを測定し、レンズテーブルを保持した状態を示した図である。
【図７】測定表示画面の一実施例である。
【図８】図７の測定表示画面において光軸の中心合わせ（アライメント）が終了した状態を表わした図である。
【図９】本発明の一実施形態としてレンズテーブルの側面にソレノイドを制御するための押しボタンスイッチを備えたレンズメータの全体概略構造を示す斜視図である。
【図１０】図９実施形態としての構成を示した図である。
【符号の説明】
【００３４】１０  レンズメータ
１２  筐体
１６  測定用スペース
１８  液晶表示画面
２６  ノーズピース
３２  レンズ押えピン
３４  レンズテーブル
３６  案内面
３８  ロッド
３９  軸受け穴部
４２  収容凹部
４６  下部前面
６０  ソレノイド
６１  レンズテーブル保持ロッド
６２  当て部材
７０  スプリング
７１  スプリング保持板
８０  アライメント用画面に表示されるターゲット
８１  ターゲット画面（アライメント用）
８２  ターゲット画面の中心
９０  演算部
９１  ソレノイド制御回路
９２  押しボタンスイッチ
【図１】
0004762644.tif 000002
【図２】
0004762644.tif 000003
【図３】
0004762644.tif 000004
【図４】
0004762644.tif 000005
【図５】
0004762644.tif 000006
【図６】
0004762644.tif 000007
【図７】
0004762644.tif 000008
【図８】
0004762644.tif 000009
【図９】
0004762644.tif 000010
【図１０】
0004762644.tif 000011